(57)【要約】【課題】遊技機のガラス枠１３に例えば穴を開け、その穴からピアノ線等により遊技領域内の遊技釘や入賞具に対して行われる不正行為を即座に発見（電気的に検出）することにより不正行為を防止することができる遊技機を提供する。【解決手段】基材１０ａの前面に遊技釘４０を植設した遊技盤１０と、該遊技盤を収納する収納部１１ａが形成される本体枠１１と、該本体枠に開閉可能に軸着され、前記遊技盤を視認可能なガラス板１４を保持するガラス枠１３と、を備えた遊技機において、前記基材の前面に少なくとも前記遊技釘に導通する導電性層１０ｂを形成するとともに、ガラス枠１３を導電性部材により形成し、前記導電性層及びガラス枠１３に電気的に接続され、ガラス枠１３と前記導電性層が導電性の異物を介して電気的に導通したことに基づいて不正行為を検出する不正検出手段（表示制御装置１１０）を設ける。【選択図】図１１
2007105390.tif 000002
【特許請求の範囲】
【請求項１】
板状の基材の前面に遊技釘を植設した遊技盤と、該遊技盤を収納する収納部が形成される本体枠と、前記本体枠にヒンジを介して開閉可能に軸着され、前記遊技盤を視認可能な透明部材を保持する透明部材保持枠と、を備えた遊技機において、
前記基材に前記遊技釘に導通する導電性層を形成するとともに、前記透明部材保持枠を導電性部材により形成し、
前記導電性層及び前記透明部材保持枠に電気的に接続され、前記透明部材保持枠と前記導電性層が導電性の異物を介して電気的に導通したことに基づいて不正行為を検出する不正検出手段を設けたことを特徴とする遊技機。
【請求項２】
前記基材の前面に導電性シートと装飾用シートを積層状に取り付け、前記基材と装飾用シートの間に導電性シートが挟み込まれた構成とし、この導電性シートによって前記導電性層を形成したことを特徴とする請求項１に記載の遊技機。
【請求項３】
前記本体枠は、前記遊技盤の前面に当接して当該遊技盤を保持するための導電性の保持部材を有し、この保持部材が保持状態において前記導電性層に接触する構成とされ、
前記不正検出手段は、前記保持部材を介して前記導電性層に電気的に接続されることを特徴とする請求項１又は２に記載の遊技機。
【請求項４】
前記遊技盤には、当該遊技盤前面に形成される遊技領域を区画する導電性の区画部材が導電性止着部材により取り付けられ、該区画部材は前記導電性止着部材を介して前記導電性層に電気的に接続され、
前記本体枠は、前記区画部材の前面に当接して前記遊技盤を保持するための導電性の保持部材を有し、
前記不正検出手段は、前記保持部材及び区画部材を介して前記導電性層に電気的に接続されることを特徴とする請求項１又は２に記載の遊技機。
【請求項５】
前記不正検出手段は、前記本体枠に取り付けられ、
前記透明部材保持枠は、前記不正検出手段から前記本体枠のヒンジ側の端部を介して前記透明部材保持枠まで延びる配線により、前記不正検出手段に接続されていることを特徴とする請求項１から４の何れかに記載の遊技機。
【請求項６】
前記不正検出手段は、不正行為を検出すると、不正があったことを示す不正検出情報を、当該遊技機が設置される島設備の端部に設けた表示器若しくは遊技店の管理装置に出力することを特徴とする請求項１から５の何れかに記載の遊技機。
【発明の詳細な説明】
【技術分野】
【０００１】
本発明は、パチンコ機などの遊技機に関する。
【背景技術】
【０００２】
従来のパチンコ機などの遊技機は、遊技島側に固定される機枠に対して、遊技盤が取り付けられる前面枠（本体枠）を開閉可能に軸着するとともに、金属製のガラス枠（透明部材としてのガラスを保持する透明部材保持枠）を前記前面枠に対して開閉可能に軸着し、ガラス（透明部材）を介して遊技盤の遊技領域を視認可能にして遊技を行えるようにしていたが、例えば、前面枠とガラス枠との間の隙間から不正具（ピアノ線等）を遊技領域内に挿入させ、入賞口の上流の遊技釘を曲げたり、大入賞口の扉を開放させたりして、獲得する遊技球を増やすという不正行為が行われてしまっていた。そこで、前面枠とガラス枠との間の隙間を塞ぐ部材を設けることにより、前面枠とガラス枠との間の隙間から不正具の侵入を防止するものや（特許文献１参照）、前面枠とガラス枠との間に、ピアノ線等の不正具により押圧されたことを電気的に検出する検出器を設けて、不正を報知するもの（特許文献２参照）などがあった。
【０００３】
【特許文献１】特開２００３−２２０２５０号公報
【特許文献２】特開２００４−１８７８５２号公報
【発明の開示】
【発明が解決しようとする課題】
【０００４】
しかし、上記したように従来技術では、ガラス枠と前面枠との間から不正具を挿入するといったような不正に対しては不正対策が採られているために、それらの不正が行われることは少なくなっていった。しかしながら、近年のガラス枠（透明部材保持枠）の傾向としては装飾性を向上させるなどの目的で金属ではなく合成樹脂により形成するようになってきている。そのため、上記したような不正を行うのではなく、熱したピアノ線や半田ごてなどによりガラス枠に穴を開けて、その穴からピアノ線等により遊技領域内の構造物に対して不正をするという行為が頻発するようになっている。よって、従来の遊技機のガラス枠と前面枠の隙間に対する不正対策では、このような不正行為に対して無力であり、不正行為の発見をできるものでもなかった。
そこで本発明は、上記した事情に鑑みてなされたものであり、遊技機の透明部材保持枠に例えば穴を開け、その穴からピアノ線等により遊技領域内の遊技釘や入賞具に対して行われる不正行為を即座に発見（電気的に検出）することにより不正行為を防止することができる遊技機を提供することを目的とする。
【課題を解決するための手段】
【０００５】
本願請求項１に記載の遊技機は、板状の基材の前面に遊技釘を植設した遊技盤と、該遊技盤を収納する収納部が形成される本体枠と、前記本体枠にヒンジを介して開閉可能に軸着され、前記遊技盤を視認可能な透明部材を保持する透明部材保持枠と、を備えた遊技機において、
前記基材に前記遊技釘に導通する導電性層を形成するとともに、前記透明部材保持枠を導電性部材により形成し、
前記導電性層及び前記透明部材保持枠に電気的に接続され、前記透明部材保持枠と前記導電性層が導電性の異物を介して電気的に導通したことに基づいて不正行為を検出する不正検出手段を設けたことを特徴とする。
なお導電性層は、遊技釘に限定されず、遊技盤における例えば大入賞口などへの不正行為も検出可能とすべく、例えば前記大入賞口などの入賞具にも導通させてもよい。また、透明部材保持枠に保持される透明部材も、合成樹脂で形成されて穴あけなどの不正工作がされる可能性があるので、その場合には、透明部材保持枠と同様に導電性部材により形成し、透明部材と前記導電性層が導通したことによっても不正行為が検出できる構成としてもよい。つまり本願は、少なくとも遊技釘を遊技盤の導電性層と導通させ、これと透明部材保持枠との導通状態で不正を検出する構成を必須としている。しかし同様の構成を、遊技盤上の他の構成物（入賞具など）や、遊技盤又はその周囲前面を覆う他の部材（透明部材など）にも適用した態様も含む。
【０００６】
なお、本発明の好ましい態様として、例えば請求項２に記載のように、前記基材の前面に導電性シートと装飾用シートを積層状に取り付け、前記基材と装飾用シートの間に導電性シートが挟み込まれた構成とし、この導電性シートによって前記導電性層を形成した構成としてもよい。
また、例えば請求項３に記載のように、前記本体枠は、前記遊技盤の前面に当接して当該遊技盤を保持するための導電性の保持部材を有し、この保持部材が保持状態において前記導電性層に接触する構成とされ、前記不正検出手段は、前記保持部材を介して前記導電性層に電気的に接続される構成としてもよい。なおこの請求項３に記載の構成において、請求項２の態様の場合には、前記装飾用シートには、前記保持部材が当接する部位に前記導電性シートを露出させる露出用開口部を形成すればよい。
【０００７】
また、例えば請求項４に記載のように、前記遊技盤には、当該遊技盤前面に形成される遊技領域を区画する導電性の区画部材が導電性止着部材により取り付けられ、該区画部材は前記導電性止着部材を介して前記導電性層に電気的に接続され、前記本体枠は、前記区画部材の前面に当接して前記遊技盤を保持するための導電性の保持部材を有し、前記不正検出手段は、前記保持部材及び区画部材を介して前記導電性層に電気的に接続される構成でもよい。
また、例えば請求項５に記載のように、前記不正検出手段は、前記本体枠に取り付けられ、前記透明部材保持枠は、前記不正検出手段から前記本体枠のヒンジ側の端部を介して前記透明部材保持枠まで延びる配線により、前記不正検出手段に接続されている構成でもよい。
また、例えば請求項６に記載のように、前記不正検出手段は、不正行為を検出すると、不正があったことを示す不正検出情報を、当該遊技機が設置される島設備の端部に設けた表示器若しくは遊技店の管理装置に出力する構成でもよい。
【発明の効果】
【０００８】
請求項１に記載の遊技機によれば、遊技盤を構成する基材に遊技釘（或いはさらに入賞具など）に導通する導電性層を形成するとともに、透明部材保持枠（或いはさらに透明部材など）を導電性部材により形成し、導電性層及び透明部材保持枠（或いはさらに透明部材など）に電気的に接続され、透明部材保持枠（或いは透明部材など）と導電性層が電気的に導通したことに基づいて不正行為を検出する不正検出手段を設けた。このため、透明部材保持枠（或いは透明部材など）に対して例えば半田ごてや熱したピアノ線等により不正に穴を開け、その穴を介して遊技領域に導電性の異物（ピアノ線等）を挿入した場合には、その異物が透明部材保持枠（或いは透明部材など）と遊技盤の遊技釘（或いは入賞具など）に接触した段階で、透明部材保持枠（或いは透明部材など）と導電性層とが電気的に導通し、これを不正として検出することができる。よって、異物を遊技領域に侵入させて遊技釘（或いは入賞具など）を不正に曲げるなどの行為を行い、入賞率を高めるなどの不正行為を即座に発見することができる。また、透明部材保持枠と透明部材の隙間から挿入される異物についても同様に異物が透明部材保持枠と遊技釘等に接触すると検出することができるので、簡単な構成で多くのパターンの不正行為を検出することができる。さらに、遊技領域に植設される釘のどの箇所を不正に操作しようとしても、遊技釘すべてが導電性層と電気的に導通している状態にあるので、検出手段が効率的に不正を検出することができる。
【０００９】
また請求項２に記載の遊技機では、前記基材の前面に導電性シートと装飾用シートを積層状に取り付け、前記基材と装飾用シートの間に導電性シートが挟み込まれた構成とし、この導電性シートによって前記導電性層を形成した。このため、遊技盤前面の装飾性を高く実現しつつ導電性層を形成することが容易に可能となる。
【００１０】
また請求項３に記載の遊技機では、本体枠は、遊技盤の前面に当接して当該遊技盤を保持するための導電性の保持部材を有し、この保持部材が保持状態において前記導電性層に接触する構成とされ、前記不正検出手段は、前記保持部材を介して前記導電性層に電気的に接続される。このため、遊技盤若しくは導電性層に直接不正検出手段を接続した場合に比べ、不正検出手段が本体枠要素の保持部材に接続されているので、いちいち遊技盤ごとに不正検出手段の接続状態を変更しないでも済むことになり、遊技盤の付け替えにも簡単に対応することができる。また、遊技盤を本体枠に固定するために保持部材の操作を行うだけで、不正検出手段と導電性層との電気的な接続を可能にするので、一石二鳥であり操作が簡単である。
【００１１】
また請求項４に記載の遊技機によれば、前記遊技盤には、当該遊技盤前面に形成される遊技領域を区画する導電性の区画部材が導電性止着部材により取り付けられ、該区画部材は前記導電性止着部材を介して前記導電性層に電気的に接続され、前記本体枠は、前記区画部材の前面に当接して前記遊技盤を保持するための導電性の保持部材を有し、前記不正検出手段は、前記保持部材及び区画部材を介して前記導電性層に電気的に接続される。このため、遊技盤若しくは導電性層に直接不正検出手段を接続した場合に比べ、不正検出手段が本体枠要素の保持部材に接続されているので、いちいち遊技盤ごとに不正検出手段の接続状態を変更しないでも済むことになり、遊技盤の付け替えにも簡単に対応することができる。また、遊技盤を本体枠に固定するために保持部材の操作を行うだけで、不正検出手段と導電性層との電気的な接続を可能にするので、一石二鳥であり操作が簡単である。さらに、保持部材を区画部材に当接させて区画部材を介して導電性層に接続する構成であるため、導電性層を傷つけて接触不良を起こすことがなくなる。
【００１２】
また請求項５に記載の遊技機によれば、不正検出手段は、本体枠に取り付けられ、透明部材保持枠は、不正検出手段から本体枠のヒンジ側の端部を介して透明部材保持枠まで延びる配線により、前記不正検出手段に接続されている。このため、透明部材保持枠の開閉を行う際に配線が邪魔になることがないし、ヒンジとは逆側に接続する場合に比べて、配線の長さが一定で済む。さらに、遊技者から見える位置に配線がないので見た目も良い。
【００１３】
また請求項６に記載の遊技機によれば、不正検出手段は、不正があったことを示す不正検出情報を、当該遊技機が設置される島設備の端部に設けた表示器若しくは遊技店の管理装置に出力する。このため、不正をした遊技者に気づかれることなく不正の発見をすることができるので、不正をした遊技者が遊技台にいる間に、遊技店員を向かわせるなどの不正者に対する対処をすることができる。
【発明を実施するための最良の形態】
【００１４】
以下、本発明の実施の形態として、パチンコ装置に適用した場合の形態例を、図面を参照して説明する。
（第１形態例）
まず、第１形態例を説明する。
Ａ．パチンコ装置の正面構成及び全体構造
まず図１及び図２により、本例のパチンコ装置（遊技機）の正面構成及び全体構造について説明する。
このパチンコ装置は、例えば、いわゆるＣＲ機（カードリーディング機）と称されるもので、大きく分けてパチンコ機２（遊技機本体）と、カード式球貸機（図示省略）とによって構成され、これらが対をなして設置される。カード式球貸機には、カードリーダライタが内蔵され、前面には磁気カード又はＩＣカードなどのカードが挿入されるカード挿入口等が設けられている。
【００１５】
パチンコ機２は、本体枠１１（いわゆる前面枠）がこの本体枠１１の裏面側に配された機枠１２に対して開閉自在に取付けられ、後述する遊技領域が形成された遊技盤１０は、この本体枠１１の上側に取付けられている。また、この本体枠１１には、その前面上側を覆うようにガラス枠１３（透明部材保持枠）が開閉自在に取付けられ、このガラス枠１３により保持されるガラス板１４（透明のプラスチックボードでもよい、本発明の透明部材に相当）を介して遊技盤１０の後述する遊技領域３３が視認可能となっている。
なお、ガラス枠１３は、図１及び図２に示すヒンジ２０を介して本体枠１１に開閉可能に軸着されている。また、遊技盤１０は、板状の基材１０ａ（図４に示す）の前面に遊技釘（図１１に符号４０で示す）を植設したもので、本体枠１１には、該遊技盤１０を収納する収納部１１ａ（図２に示す）が形成されている。
また、ガラス枠１３（或いはさらにガラス板１４）は、少なくとも一部（遊技領域に近い部分若しくは装飾ランプのレンズ部分を除いた基枠体）が導電性部材（例えば、導電性樹脂）により形成されている。
また、このガラス枠１３の下側には、開閉パネル１５が配置され、本体枠１１に対して開閉自在に取付けられている。さらに、この開閉パネル１５の下側には、操作パネル１６が本体枠１１に対して通常は固定状態に設けられている。
【００１６】
また、遊技盤１０の前面には、球を上方から落下させつつアウトあるいはセーフの判定（入賞したか否かの判定）を行う領域（後述する遊技領域３３）が形成され、入賞口に遊技球が入って有効にセーフとなる場合は、所定数の遊技球が開閉パネル１５に設けられた上皿１７に排出される（即ち、賞球として排出される）構成となっている。
また、本体枠１１の開閉側（図１において右側）の縁部には、本体枠１１及びガラス枠１３の施錠装置（図示省略）の鍵挿入部２１が形成されている。
【００１７】
また、ガラス枠１３の下部には、カード式球貸機から貸球の排出を行うための球貸スイッチ２３ａと、カード式球貸機３からカードの排出を行うためのカード返却スイッチ２３ｂとが配設されている。
また、開閉パネル１５に設けられた上皿１７は、賞球として又は貸球として排出された発射前の遊技球を一時保持し、これら遊技球を本体枠１１の裏面下側に設けられた発射装置（図示省略）への球送り装置（図示省略）に順次供給するもので、この上皿１７には、上皿１７の遊技球を後述の下皿２６に移す玉通路開閉用の上皿球抜きレバー２４が設けられている。
【００１８】
また、操作パネル１６には、灰皿２５と、下皿２６と、下皿２６に貯留された球を外部下方に抜くための下皿球抜きレバー２７と、前記発射装置の操作を行う発射操作ハンドル２８とが設けられている。
また、図１において符号２９で示すものは、上皿１７の前面側に設けられ、効果音を出力するスピーカである。なおスピーカは、ガラス枠１３の上部にも設けられている（図９に符号２９ａで示す）。また、図１において符号１８ａ，１８ｂ，１８ｃで示すものは、ガラス枠１３の上部に設けられた装飾ランプである。また、図１において符号１９で示すものは、本体枠１１の上部裏側に設けられた球貯留タンクである。パチンコ機２を設置する島設備側から適宜供給される遊技球がこの球貯留タンクに貯留され、この球貯留タンク内の遊技球が、パチンコ機２における賞球として又は貸球として排出される。
【００１９】
Ｂ．遊技盤の正面構成
次に、図３によって遊技盤１０の正面構成を説明する。
図３において、遊技盤１０の前面には、略円形領域がガイドレール３２やその周囲のサイドケース３１で囲まれることにより遊技領域３３が形成されている。ここで、サイドケース３１は、本発明の区画部材に相当する。
この遊技領域３３には、識別情報（以下、場合により特図という）を複数の変動表示領域毎に変動表示したり、演出用画像を表示したりするための表示画面３４ａを有する表示装置３４と、開閉扉３５ａにより開閉される大入賞口３５ｂを有する特別変動入賞装置３５と、左右一対の開閉部材を有し特図始動口（特図の変動表示の始動条件となる入賞口）として機能する普通変動入賞装置３６と、この場合大入賞口３５ｂの下側に設けられ後述する普通図柄（以下、場合により普図という）を表示する普図表示器（普通図柄表示器）３７と、スルーチャッカー形式の普図始動ゲート（普図の変動表示の始動条件となるゲート）３８と、一般入賞口３９ａ，３９ｂなどと、アウト穴４１（普図表示器３７の下方にある）とが備えられている。なお、表示装置３４は、センターケース３４ｂ内に設けられている。
【００２０】
また図３において、符号４２で示すものは、遊技領域３３の右上まで打ち込まれた遊技球を跳ね返す球返しゴムである。
なお、特別変動入賞装置３５は、所定条件の成立（後述する変動表示ゲームが当りとなること）に基づき、遊技者にとって不利な第２の状態（大入賞口３５ｂが閉じられた状態）から遊技者にとって有利な第１の状態（大入賞口３５ｂが開けられた状態）に変化する特別遊技状態（後述する大当り）を発生可能な変動入賞装置である。
【００２１】
そして、普通変動入賞装置３６内の入賞流路には特図始動センサ５１（図１０に示す、以下図１に示されていないものは同様）が、普図始動ゲート３８内の通過流路には普図始動センサ５２が、それぞれ設けられている。また、特別変動入賞装置３５の大入賞口３５ｂ内には、カウントセンサ５３が設けられている。また、各一般入賞口３９ａ，３９ｂなどには、それぞれ、入賞口センサ５４（入賞口センサ１〜ｎ）が設けられている。なお、入賞口センサ５４は、一般入賞口がＮ個あると、合計Ｎ個配置される。
【００２２】
ここで、表示装置３４は、カラーで静止画及び動画が表示可能な、例えば液晶ディスプレイ（ＬＣＤ）であり、ＣＲＴであってもよい。
また、本例の普図表示器３７は、左右にＬＥＤ等よりなる点灯部を有し、各点灯部が交互に複数回点灯した後、いずれか一方が点灯することで、普図の変動表示を実現するもので、この場合普図は上記点灯部の点灯状態（どちらが点灯しているかの状態）である。なお、普図表示器としては、一桁の数字を表示する７セグメントの表示部を有し液晶又はＬＥＤ等よりなる表示器を用いてもよく、この場合前記普通図柄（普図）は、一桁の数字である。
また、特図始動センサ５１は、普通変動入賞装置３６に入賞した遊技球を１個ずつ検出し、普図始動センサ５２は、普図始動ゲート３８を通過する遊技球を１個ずつ検出する。また、カウントセンサ５３は、大入賞口３５ｂに入賞した遊技球を１個ずつ検出するものである。
【００２３】
なお、遊技盤１０の遊技領域３３には、通常天釘やヨロイ釘といった多数の遊技釘４０（図１１に示す、障害釘ともいう）が設けられるが、図３や図４などでは繁雑になるので図示省略している。また、同様に図示省略しているが、遊技盤１０には、その他の各種装飾ランプや、ＬＥＤ等が設けられていてもよい。
また本発明では、遊技盤における遊技領域はどのようなものでもよく、任意の構成を取り得る。パチンコ機以外の遊技機であってもよい。なお、本例ではいわゆる「第１種」に属するパチンコ機に適用した例を説明する。
【００２４】
Ｃ．不正検出のための構成
次に、遊技盤１０等における不正検出のための構成について、図４〜図７などを参照して説明する。
図４は、遊技盤１０を構成する基材１０ａ等を示す分解斜視図である。また図５は、遊技盤１０を構成する基材１０ａの前面に後述する各シート１０ｂ，１０ｃを取り付けた状態を示す正面図である。
【００２５】
遊技盤１０を構成する基材１０ａの前面には、導電性シート１０ｂと装飾用シート１０ｃが積層状に取り付けられ、基材１０ａと装飾用シート１０ｃの間に導電性シート１０ｂが挟み込まれた構成となっている。この導電性シート１０ｂは、本発明の導電性層を形成している。
ここで、前述の遊技釘４０は、図１１に示すように導電性シート１０ｂと装飾用シート１０ｃの前面側から打ち込まれて、これら各シート１０ｂ，１０ｃを貫いている。このため、導電性シート１０ｂは前述の遊技釘４０に接触し電気的に導通している。なお、導電性シート１０ｂは、遊技盤１０における他の構造物にも導通していてもよい。例えば、導電性シート１０ｂは、遊技盤１０における入賞具（特別変動入賞装置３５など）に導通していてもよい。
また、装飾用シート１０ｃには、後述する保持部材７０の遊技盤前面当接部７２（図６に示す）が当接する部位に導電性シート１０ｂ（導電性層）を露出させる露出用開口部６１（この場合、右側の端縁に設けられた切欠き）が形成されている。
また、基材１０ａと各シート１０ｂ，１０ｃには、遊技盤１０上の構造物（例えばセンターケース３４ｂ）との干渉を避けるための開口部６２ａ，６２ｂ，６２ｃが、それぞれ形成されている。
【００２６】
次に図６及び図７（ａ）は、本体枠１１に設けられた保持部材７０を説明する図であり、図６（ａ）は保持部材７０の拡大斜視図、図６（ｂ）は保持部材７０が設けられた本体枠１１の右上隅部の拡大斜視図、図７（ａ）は保持部材７０が設けられた本体枠１１の右上隅部の拡大正面図である。
保持部材７０は、例えば金属などの材料よりなる導電性のもので、遊技盤１０に対して直交する方向（パチンコ機２の前後方向）に配置された回動軸７１に支持されて、回動可能に設けられている。この場合、保持部材７０は、直立して遊技盤１０から離れた直立状態（図７（ａ）において鎖線で示す状態）から、一端側が遊技盤１０の側に倒れて水平になった水平状態（図７（ａ）において実線で示す状態）まで、回動可能となっている。ここで、回動軸７１は本体枠１１に取り付けられている。また、上記水平状態は、本発明の保持状態に相当する。
【００２７】
この保持部材７０は、図６（ａ），（ｂ）に示すように、水平状態において遊技盤１０の前面における露出用開口部６１の部分（即ち、導電性シート１０ｂ）に当接して遊技盤１０を取付状態に保持する遊技盤前面当接部７２と、同じく水平状態において遊技盤１０の側端面に当接して遊技盤１０を取付状態に保持する遊技盤側部当接部７３と、前記回動軸７１が挿通される軸受け部７４とを備える。遊技盤前面当接部７２と遊技盤側部当接部７３は、保持部材７０の一端側（回動によって前記直立状態から水平状態に大きく動く側）に設けられている。
なお、遊技盤前面当接部７２は、前記水平状態において露出用開口部６１の部分（即ち、導電性シート１０ｂ）にできるだけ信頼性高く密着し、保持部材７０と導電性シート１０ができるだけ信頼性高く電気的に導通する構成とするのが望ましい。そのため、遊技盤前面当接部７２の当接面にテーパ（傾斜）を設けたり、遊技盤前面当接部７２をバネなどの弾性部材によって遊技盤１０に向かって押し付ける機構を設けてもよい。
【００２８】
また、図６（ａ），（ｂ）に示すように、保持部材７０の他端側（軸受け部７４を中心として前記一端側と反対側）には、遊技盤接続端子７５がネジ止めによって密着状態に取り付けられ、この遊技盤接続端子７５を介して配線７６の芯線と保持部材７０とが電気的に導通した構成となっている。ここで、配線７６は、後述する表示制御装置１１０（不正検出手段）に接続され、表示制御装置１１０は、配線７６、遊技盤接続端子７５、及び保持部材７０を介して導電性シート１０ｂ（導電性層）に電気的に接続されている。なお、表示制御装置１１０は、本体枠１１の裏側に取り付けられ、導電性のガラス枠１３（透明部材保持枠）にも接続されている（詳細後述する）。
また図７（ａ）において、符号３１ａで示すものは、サイドケース３１を基材１０ａに固定するための止着部材（この場合ネジ部材）であり、符号３１ｂで示すものは、止着部材３１ａを取り付け易くするためにサイドケース３１に設けられた止着凹部である。また図７において、符号３１ｃで示すものは、サイドケース３１における露出用開口部６１と重なる位置に形成された切欠き（開口）である。
【００２９】
次に図９は、ガラス枠１３の左上隅部（ヒンジ２０の部分）の裏側を示す拡大斜視図である。ヒンジ２０は、本体枠１１に設けられた軸受け部２０ａと、ガラス枠１３に設けられて軸受け部２０ａの穴に回転自在に挿入されるヒンジ軸２０ｂとよりなる。
ガラス枠１３におけるヒンジ軸２０ｂの下方には、金具８０がガラス枠１３に接触した状態（電気的に導通した状態）で設けられている。そして金具８０には、枠接続端子８１がネジ止めによって密着状態に取り付けられ、この枠接続端子８１を介して配線８２の芯線と金具８０とが電気的に導通した構成となっている。
ここで、配線８２は、装飾ランプ１８ａ，１８ｂ，１８ｃからの配線８３やスピーカ２９ａからの配線８４とともに、図９に示す如く本体枠１１側に引き回され、後述する表示制御装置１１０（不正検出手段）に接続されている。こうして表示制御装置１１０は、配線８２、枠接続端子８１、及び金具８０を介してガラス枠１３（或いはさらにガラス板１４）に電気的に接続されている。さらにいえば、ガラス枠１３（或いはさらにガラス板１４）は、表示制御装置１１０（不正検出手段）から本体枠１１のヒンジ側の端部を介してガラス枠１３まで延びる配線８２により、表示制御装置１１０に接続されている。
なお、配線８２は、金具８０の下部裏側に形成された配線処理空間８５を経由して布設されている。また、ガラス板１４もガラス枠１３と同様に導電性部材として不正検出を可能とする場合、表示制御装置１１０（不正検出手段）とガラス板１４との電気的接続は、ガラス板１４を介して行ってもよいし、表示制御装置１１０をガラス枠１３とは別個の配線でガラス板１４に接続してもよい。
【００３０】
Ｄ．制御系の構成
次に、本例のパチンコ機の制御系統について、図１０を参照して説明する。
図１０において、遊技制御装置１００は、遊技の総括的制御（遊技進行の制御やそのための各被制御機器の直接的又は間接的な制御含む）を行う制御装置であり、パチンコ遊技等に必要な役物制御を行うワンチップマイコンからなる遊技用マイコン１０１（遊技用マイクロコンピュータ：いわゆるアミューズチップ用のＩＣとして製造）と、入力インターフェース１０２と、出力インターフェース１０３と、外部通信端子１０４を含んで構成されている。遊技用マイコン１０１は、ＣＰＵ１０５、ＲＯＭ１０６、ＲＡＭ１０７を含む。
【００３１】
ここで、遊技制御装置１００の入力インターフェース１０２には、前述の特図始動センサ５１、普図始動センサ５２、カウントセンサ５３、及び入賞口センサ５４からの検出信号が入力される。
一方、遊技制御装置１００の出力インターフェース１０３からは、前述の普図表示器３７、始動入賞口３６のチューリップ型の開閉部材（符号省略）を駆動する普電ソレノイド９１、大入賞口３５ｂの開閉扉３５ａを駆動する大入賞口ソレノイド（大入賞口ＳＯＬ）９２、遊技店の管理装置に対して盤用外部情報（例えば、大当り信号等）を送信するための盤用外部端子９３に信号が出力される。
【００３２】
また、出力インターフェース１０３からは、排出制御装置９４に対して、賞球データ等の信号が出力される。即ち、遊技制御装置１００は、遊技盤１０の各入賞口毎に設けられた特図始動センサ５１，カウントセンサ５３、入賞口センサ５３により遊技球の入賞が検出されると、入賞口の入賞価値に対応して予め設定された賞球数の情報（賞球データ）を、排出制御装置９４へ送信する。そして、排出制御装置９４では、この賞球データを受信して、それに応じた賞球排出制御を行う。
また、出力インターフェース１０３からは、前述の表示装置３４等を制御する表示制御装置１１０に対して、制御情報（表示制御コマンド）が送信される。
【００３３】
次に、表示制御装置１１０は、本発明の不正検出手段に相当し、表示装置３４の画像表示制御や不正検出の処理等を実行する制御装置であり、やはりＣＰＵ１１１を含むマイクロコンピュータよりなり、遊技制御装置１００から送信される制御情報に基づき表示装置３４などを制御する。例えば、変動表示ゲームを実行する際には、遊技制御装置１００から停止図柄の組み合わせ（結果態様）のデータと、変動時間のデータとを含む表示制御情報が、この場合送信される構成となっており、表示制御装置１１０では、この停止態様と変動時間を満足する変動態様を選択して、表示装置３４に特図（識別情報）を変動表示させて最終的に特定の図柄の組合せ（結果態様）を導出表示する変動表示ゲームを行う構成となっている。なお、表示制御装置１１０の制御で実際に実施される特図の変動表示の態様（変動態様）は、遊技制御装置１００からの表示制御情報によって一義的に決定されてもよいが、上記表示制御情報で与えられた条件の範囲で、表示制御装置１１０が乱数抽出などによって変動態様を最終的に選択する構成（表示制御装置１１０にも変動態様を選択するある程度の裁量が与えられた構成）となっていてもよい。
【００３４】
また、表示制御装置１１０は、図１０のように、ＣＰＵ１１１、制御用プログラムや固定データを記憶するＲＯＭ１１２、ＣＰＵ１１１の作業領域を提供したり遊技制御装置１００から送信される制御情報を記憶するＲＡＭ１１３、通信インターフェース１１５、表示装置３４を表示駆動するＧＤＰ（グラフィックディスプレイプロセッサ）１１６、画像や文字等の表示データを格納した画像ＲＯＭ１１７から構成される。
【００３５】
ここで、通信インターフェース１１５を介して遊技制御装置１００から表示制御情報が入力されると、表示制御装置１１０は次のように表示制御を行う。まず、通信インターフェース１１５からＣＰＵ１１１に対して受信割込みがかかり、これに応じてＣＰＵ１１１は表示制御情報を受信してＲＡＭ１１３に格納する。そして、ＣＰＵ１１１は、受信した表示制御情報を解析し、例えば特図の変動表示の場合であれば、それに含まれる結果態様や変動時間の情報に基づいて、変動表示の内容を決定し、その変動表示を実現する表示データ（表示する図柄のコードや表示位置データやスクロールなどのコマンド等よりなるデータ）を生成してＲＡＭ１１３に格納する。
次いでＧＤＰ１１６は、ＲＡＭ１１３の上記表示データを内部ＲＡＭに読み込み展開する。即ち、表示する特図や演出図柄やキャラクタのコードに対応して画像ＲＯＭ１１７に格納されているキャラクタフォントデータを読み出し、表示位置データ等に従って表示すべき画像データ（背景画像含む）を生成して内部ＲＡＭの表示画像格納領域に格納する。
その後ＧＤＰ１１６は、前記表示画像格納領域から画像データを読み出して表示装置３４の表示駆動信号を形成する。これによって、表示装置３４の表示画面３４ａ上に所定の表示が行われる。
【００３６】
またこの場合、表示制御装置１１０は、不正検出の処理を行う機能も有する。例えば、周期的に枠接続端子８１と遊技盤接続端子７５の間の導通状態（即ち、ガラス枠１３或いはさらにガラス板１４と導電性シート１０ｂとの間の導通状態）を監視し、導通状態であれば不正行為が行われているとして、不正があったことを示す不正検出情報を、当該パチンコ機２が設置される島設備の端部に設けた表示器若しくは遊技店の管理装置（図示省略）に出力する。なお、不正あった場合、当該パチンコ機２のいずれかのランプを点灯させてもよいし、スピーカ２９等から警告音を出力させてもよい。
【００３７】
また、表示制御装置１１０は、スピーカ２９等を制御して所定の音響効果を実現し、通信インターフェース１１５からは前述の各種ランプ（例えば、装飾ランプ１８ａ，１８ｂ，１８ｃなど）に信号が出力され、各種ランプの点灯制御も実行する。
【００３８】
Ｅ．遊技の概要
次に、本形態例のパチンコ機で行われる遊技の概要や遊技の流れについて説明する。
まず、遊技開始当初の時点（或は遊技開始前の時点）では、客待ち状態（デモ中）となっており、客待ち画面の表示を指令する表示制御情報が遊技制御装置１００から表示制御装置１１０に送信され、表示装置３４の画面３４ａには客待ち画面（動画又は静止画）が表示される。
【００３９】
そして、ガイドレール３２を介して遊技領域３３に打込まれた遊技球が、特図の始動入賞口３６に入賞すると（即ち、特図の始動入賞があると）、特図の変動表示を指令する表示制御情報が遊技制御装置１００から表示制御装置１１０に送信され、表示装置３４の画面３４ａにおいて特図（数字、文字、記号、模様等よりなるもの）が変動（例えば、スクロール）する表示（いわゆる変動表示）が行われて、変動表示ゲームが行われる。
【００４０】
そして、この変動表示ゲームの停止表示態様（変動表示により導出された特図の組合せ）が特定の態様（例えば、「３、３、３」などのゾロ目）であれば、大当りと呼ばれる特典が遊技者に付与される。なお制御上は、例えば始動入賞があったことを条件として、大当り乱数の値が抽出記憶されて、この抽出記憶された乱数値と予め設定された判定値とが判定時に比較判定され、この比較判定結果に基づいて、予め大当りとするか否かが決定され、この決定に応じて上記変動表示ゲームが開始される。また、変動表示ゲームの停止表示態様が特定の態様（例えば、「７、７、７」などのゾロ目）であれば、上記大当りになるとともに、大当り遊技後（後述する開放動作後）に、大当りになる確率を高める制御が行われる状態（確率変動状態）となる。
【００４１】
この大当りになると、変動入賞装置３５の何れかの大入賞口３５ａが、規定時間（例えば、３０秒）を越えない範囲内において、例えば１０個入賞までの期間だけ一時的に開放される開放動作が行われる。そしてこの開放動作は、例えば、１５ラウンドまで行われる。また、この大当たり状態では、大当たり状態を演出したり大当たりラウンド数などを遊技者に報知するための大当たり画面の表示を指令する表示制御情報が遊技制御装置１００から表示制御装置１１０に送信され、表示装置３４の表示画面３４ａでは、このような大当たり中の表示が実行される。
【００４２】
また、上記特図の変動表示ゲーム中又は大当り中に、何れかの始動入賞口にさらに遊技球が入賞したときには、特図記憶表示器（図示省略）で特図始動記憶表示が行われてこの場合４個まで記憶され、変動表示ゲーム又は大当りが終了した後に、その記憶（即ち、始動記憶）に基づいて上記特図の変動表示ゲームが繰り返されたり、客待ち状態に戻ったりする。
即ち、変動表示ゲームが大当たりで終了すれば大当たり状態に移行し、変動表示ゲームがはずれで終了し始動記憶があれば再度変動表示ゲームが実行され、変動表示ゲームがはずれで終了し始動記憶がなければ客待ち状態に戻り、大当たりが終了して始動記憶があれば再度変動表示ゲームが実行され、大当たりが終了して始動記憶がなければ客待ち状態に戻る流れとなっている。
【００４３】
一方、遊技中に、遊技球が普図始動ゲート３８を通過したときは、普図表示器３７での普図の変動表示による普図の変動表示ゲームが行われる。そして、この変動表示ゲーム結果（停止した普図）が所定の態様であれば、普図当りと呼ばれる遊技価値（特典）が付与される。
この普図当りになると、始動入賞口３６の一対の開閉部材が逆ハの字に開いた開放状態に、例えば０．５秒程度保持される遊技が行われる。これにより、始動入賞口３６に遊技球が入賞し易くなり、その分、特図の変動表示ゲームの実施回数が増えて大当りになる可能性が増す。
また、上記普図の変動表示ゲーム中に、普図始動ゲート３８にさらに遊技球が入賞したときには、普図記憶表示器（図示省略）で普図始動記憶表示が実行されてこの場合４個まで記憶され、普図の変動表示ゲームの終了後に、その記憶に基づいて上記普図の変動表示ゲームが繰り返される。
【００４４】
以上説明した本例の遊技機によれば、遊技盤１０を構成する基材１０ａの前面に沿って少なくとも遊技釘４０（或いはさらに入賞具など）に導通する導電性層（導電性シート１０ｂ）を形成するとともに、透明部材保持枠（ガラス枠１３）或いはさらに透明部材（ガラス板１４）を導電性部材により形成し、透明部材保持枠或いは透明部材と導電性層が電気的に導通したことを不正として検出する不正検出手段（表示制御装置１１０）を設けた。このため、透明部材保持枠或いは透明部材に対して半田ごてや熱したピアノ線等により不正に穴を開け、その穴を介して遊技領域に導電性の異物（ピアノ線等）を挿入した場合には、その異物が透明部材保持枠或いは透明部材と遊技盤の遊技釘（或いは入賞具など）に接触した段階で、透明部材保持枠或いは透明部材と導電性層とが電気的に導通し、これを不正として検出することができる。よって、異物を遊技領域に侵入させて遊技釘等を不正に曲げるなどの行為を行い、入賞率を高めるなどの不正行為を即座に発見することができる。また、透明部材保持枠と透明部材の隙間から挿入される異物についても同様に異物が透明部材保持枠と遊技釘等に接触すると検出することができるので、簡単な構成で多くのパターンの不正行為を検出することができる。さらに、遊技領域に植設される釘のどの箇所を不正に操作しようとしても、遊技釘すべてが導電性層と電気的に導通している状態にあるので、不正検出手段が効率的に不正を検出することができる。
【００４５】
なお、図１１（ａ），（ｂ）は、本例の不正検出の対象となる不正行為の具体例を示す図である。
図１１（ａ）は、ガラス枠１３或いはガラス板１４に半田ごてや熱したピアノ線等により不正に穴Ｈを開け、その穴Ｈを介して遊技領域に導電性の異物（ピアノ線Ｐ）を挿入し、そのピアノ線Ｐの先端を遊技釘４０に引っ掛けることよって、遊技釘４０を不正に曲げる不正行為が行われている状態を示している。この場合、その異物（ピアノ線Ｐ）がガラス枠１３或いはガラス板１４と遊技盤１０の遊技釘４０に接触した段階で、ガラス枠１３或いはガラス板１４と導電性シート１０ｂとが電気的に導通し、表示制御装置１１０による前述の処理によって、この不正行為が検出される。
【００４６】
次に図１１（ｂ）は、ガラス枠１３或いはガラス板１４に半田ごてや熱したピアノ線等により不正に穴Ｈを開け、その穴Ｈを介して遊技領域に導電性の異物（ピアノ線Ｐ）を挿入し、そのピアノ線Ｐの先端を特別変動入賞装置３５の開閉扉３５ａに引っ掛けることよって、大入賞口３５ｂを不正に開ける不正行為が行われている状態を示している。この場合、その異物（ピアノ線Ｐ）がガラス枠１３或いはガラス板１４と遊技盤１０の特別変動入賞装置３５に接触した段階で、ガラス枠１３或いはガラス板１４と導電性シート１０ｂとが電気的に導通し、表示制御装置１１０による前述の処理によって、この不正行為が検出される。なおこの場合は、特別変動入賞装置３５が、メッキ処理などによって導電性を持つように構成され、特別変動入賞装置３５が導電性シート１０ｂに導通している必要がある。
【００４７】
また本例では、遊技盤１０を構成する基材１０ａの前面に導電性シート１０ｂと装飾用シート１０ｃを積層状に取り付け、前記基材１０ａと装飾用シート１０ｃの間に導電性シート１０ｂが挟み込まれた構成とし、この導電性シート１０ｂによって導電性層を形成した。このため、遊技盤前面の装飾性を高く実現しつつ導電性層を形成することが容易に可能となる。
【００４８】
また本例によれば、本体枠１１は、遊技盤１０の前面に当接して当該遊技盤１０を保持するための導電性の保持部材７０を有し、この保持部材７０が保持状態（前述の水平状態）において前記導電性層に接触する構成とされ、不正検出手段である表示制御装置１１０は、前記保持部材７０を介して前記導電性層に電気的に接続される。このため、遊技盤１０若しくは導電性層（導電性シート１０ｂ）に直接不正検出手段（表示制御装置１１０）を接続した場合に比べ、不正検出手段が本体枠要素の保持部材７０に接続されているので、いちいち遊技盤１０ごとに不正検出手段の接続状態を変更しないでも済むことになり、遊技盤１０の付け替えにも簡単に対応することができる。また、遊技盤１０を本体枠１１に固定するために保持部材７０の操作を行うだけで、不正検出手段と導電性層との電気的な接続を可能にするので、一石二鳥であり操作が簡単である。
また本例では、不正検出手段（表示制御装置１１０）は、本体枠１１に取り付けられ、透明部材保持枠（ガラス枠１３）は、不正検出手段から本体枠のヒンジ側の端部を介して透明部材保持枠まで延びる配線８２により、前記不正検出手段に接続されている。このため、透明部材保持枠の開閉を行う際に配線８２が邪魔になることがないし、ヒンジとは逆側に接続する場合に比べて、配線８２の長さが一定で済む。さらに、遊技者から見える位置に配線がないので見た目も良い。
【００４９】
また本例では、不正検出手段（表示制御装置１１０）は、不正があったことを示す不正検出情報を、当該パチンコ機が２設置される島設備の端部に設けた表示器若しくは遊技店の管理装置に出力する。このため、不正をした遊技者に気づかれることなく不正の発見をすることができるので、不正をした遊技者が遊技台にいる間に、遊技店員を向かわせるなどの不正者に対する対処をすることができる。
【００５０】
（他の形態例）
次に、本発明の他の形態例を図７（ｂ）や図８（ａ），（ｂ）によって説明する。なお、第１形態例と同様の構成要素については同符号を使用して重複する説明を省略する。
まず、不正検出手段（表示制御装置１１０）は、保持部材７０及びサイドケース３１（区画部材）を介して導電性シート１０ｂ（導電性層）に電気的に接続される態様でもよい。図７（ｂ）は、この態様を説明するための図であり、保持部材７０が設けられた本体枠１１の右上隅部の拡大正面図である。この場合、サイドケース３１とこれを遊技盤１０に固定する止着部材３１ａ（導電性止着部材）が、導電性を持つ材料により構成され、サイドケース３１が止着部材３１ａを介して導電性シート１０ｂ（導電性層）に電気的に導通している。またサイドケース３１には、水平状態に回動する保持部材７０との干渉を避けるための凹部３１ｄが形成され、この凹部３１ｄ内には、水平状態に回動した保持部材７０と密着状態に接触する凸部３１ｅと、水平状態に回動した保持部材７０のさらなる回動を阻止するストッパ３１ｆが形成されている。こうして図７（ｂ）に示す態様では、水平状態とされた保持部材７０及びサイドケース３１（凸部３１ｅなど）を介して、不正検出手段（表示制御装置１１０）が導電性シート１０ｂ（導電性層）に電気的に接続される。本発明は、このような態様でもよい。
なお、上記ストッパ３１ｆは、前述の第１形態例（図７（ａ）において設けてもよい。
【００５１】
また、本発明の保持部材は、図８（ａ），（ｂ）に示すような操作レバー１２１を持つ保持部材１２０でもよい。保持部材１２０は、本体枠１１の内側に伸びて水平状態において遊技盤１０の前面（又はサイドケース３１）に当接する当接部１２２と、本体枠１１の側部外方にＬ字形に伸びる操作レバー１２１と、を有する。この保持部材１２０は、本体枠１１の側部外面に固定された取付ベース１２３に対して、図示省略した回動軸によって回動可能に取り付けられ、前述した第１形態例の保持部材７０と同様に回動可能となっている。この場合、操作レバー部１２１を作業者が操作することによって、保持部材１２０の状態を容易に切り換えることができる。ここで、図８において符号１２４で示すものは、保持部材１２０が水平状態（保持状態）にあるときに操作レバー１２１に係合して、保持部材１２０を水平状態に保持するストッパである。また、保持部材１２０には、第１形態例の保持部材７０と同様に、遊技盤接続端子７５を介して配線７６が接続されている。
なお、図８のうちの図８（ａ）は、第１形態例と同様に、保持部材１２０が直接導電性シート１０ｂに接触して導通する態様を示し、一方図８（ｂ）は、前述の図７（ｂ）の形態例と同様に、保持部材１２０が導電性のサイドケース３１を介して間接的に導電性シート１０ｂに導通する態様を示している。
【００５２】
また、以上説明した図７（ｂ）や図８（ｂ）に示す形態例であると、次のような固有の効果がある。即ち、保持部材を区画部材（サイドケース３１）に当接させて区画部材を介して導電性層（導電性シート１０ｂ）に接続する構成であるため、導電性層を傷つけて接触不良を起こすことがなくなる。
【００５３】
なお、本発明は上述した形態例に限られず、各種の変形や応用があり得る。
例えば、装飾用シート１０ｃに導電性を持たせて、導電性シートとしても機能させ、基材１０ａの前面に積層するシートを１枚だけとすること可能である。また、本発明の導電性層は、シートを貼付することに限られず、例えば遊技盤１０の基材１０ａの前面に表面処理（メッキその他の薄膜形成処理）を施すことによって形成してもよい。
また、開閉パネル１５に穴をあけて遊技盤上の遊技釘等に対して不正工作を行うことも考えられるので、開閉パネル１５をガラス枠１３と同様に導電性部材により形成し、開閉パネル１５と遊技盤の導電性層との導通状態によっても不正を検出する構成としてもよい。
【００５４】
また、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【図面の簡単な説明】
【００５５】
【図１】パチンコ機の正面側斜視図である。
【図２】パチンコ機の分解斜視図である。
【図３】遊技盤の正面図である。
【図４】遊技盤を構成する基材等を示す分解斜視図である。
【図５】遊技盤を構成する基材の前面に導電性シート等を取り付けた状態を示す正面図である。
【図６】（ａ）は保持部材の拡大斜視図、（ｂ）は保持部材が設けられた本体枠の右上隅部の拡大斜視図である。
【図７】保持部材が設けられた本体枠の右上隅部の拡大正面図であり、（ａ）は保持部材が直接導電性層に接触する態様、（ｂ）は保持部材が区画部材を介して導電性層に導通する態様を示す。
【図８】保持部材（操作レバー有り）が設けられた本体枠の右上隅部の拡大正面図であり、（ａ）は保持部材が直接導電性層に接触する態様、（ｂ）は保持部材が区画部材を介して導電性層に導通する態様を示す。
【図９】ガラス枠の左上隅部（ヒンジの部分）の裏側を示す拡大斜視図である。
【図１０】パチンコ機の制御系を示すブロック図である。
【図１１】（ａ）は遊技釘に対する不正行為の具体例を示す図、（ｂ）は大入賞口に対する不正行為の具体例を示す図である。
【符号の説明】
【００５６】
１０  遊技盤
１０ａ  基材
１０ｂ  導電性シート（導電性層）
１０ｃ  装飾用シート
１１  本体枠
１３  ガラス枠（透明部材保持枠）
１４  ガラス板（透明部材）
２０  ヒンジ
３１  サイドケース（区画部材）
３１ａ  止着部材（導電性止着部材）
３３  遊技領域
３５，２１１  変動入賞装置
４０  遊技釘
６１  露出用開口部
８２  配線
７０，１２０  保持部材
１１０  表示制御装置（不正検出手段）
【図１】
2007105390.tif 000003
【図２】
2007105390.tif 000004
【図３】
2007105390.tif 000005
【図４】
2007105390.tif 000006
【図５】
2007105390.tif 000007
【図６】
2007105390.tif 000008
【図７】
2007105390.tif 000009
【図８】
2007105390.tif 000010
【図９】
2007105390.tif 000011
【図１０】
2007105390.tif 000012
【図１１】
2007105390.tif 000013